(57)【要約】【課題】盗撮映像という特殊性を鑑み、被盗撮者のプライバシに配慮した盗撮検出装置を提供する。【解決手段】盗撮機から送信される映像信号を検出する盗撮検出装置であって、電波を受信する受信手段と、受信した電波を変換して映像信号を検出する検出部と、前記検出部が検出した映像信号の映像を不鮮明化処理する映像処理部と、前記映像処理部で前記不鮮明化処理された映像を出力する出力部と、を備えたことを特徴とする盗撮検出装置。【選択図】  図１
2007324930.tif 000002
【特許請求の範囲】
【請求項１】
盗撮機から送信される映像信号を検出する盗撮検出装置であって、
電波を受信する受信手段と、
受信した電波を変換して映像信号を検出する検出部と、
前記検出部が検出した映像信号の映像を不鮮明化処理する映像処理部と、
前記映像処理部で前記不鮮明化処理された映像を出力する出力部と、
を備えたことを特徴とする盗撮検出装置。
【請求項２】
前記映像処理部は、前記不鮮明化処理として前記検出部にて検出された映像信号による映像の解像度を低下させる処理をする請求項１に記載の盗撮検出装置。
【請求項３】
前記映像処理部は、前記不鮮明化処理として前記検出部にて検出された映像信号による映像の所定領域をマスクする処理をする請求項１または請求項２に記載の盗撮検出装置。
【請求項４】
前記映像処理部は、前記不鮮明化処理として前記検出部にて検出された映像信号による映像を減色処理する請求項１から３のいずれかに記載の盗撮検出装置。
【請求項５】
盗撮機から送信される映像信号を検出する盗撮検出システムであって、
電波を受信する受信手段と、
受信した電波を変換して映像信号を検出する検出部と、
前記検出部が映像信号を検出すると警報判定する判定部と、
前記判定部が前記警報判定すると前記映像信号の映像を遠隔の監視センタに送信する通報部とを有する盗撮検出装置と、
前記盗撮検出装置からの映像を受信する通信部と、
前記受信した映像を不鮮明化処理する映像処理部と、
前記映像処理部で前記不鮮明化処理された映像を表示する表示部とを有する監視センタとから構成される盗撮検出システム
【発明の詳細な説明】
【技術分野】
【０００１】
本発明は、ＣＤ／ＡＴＭコーナーやトイレ、更衣室などに設置された無線式の盗撮機を発見するための盗撮検出装置、および盗撮検出システムに関する。
【背景技術】
【０００２】
近年、ＣＤ／ＡＴＭコーナーやトイレなどでの盗撮行為が社会問題となっている。盗撮行為の手口としては、電波の送信機が内蔵された盗撮カメラを盗撮場所にしかけておき、盗撮場所付近で盗撮者が所持する電波の受信機にて盗撮カメラの映像を受信する方法が多く用いられている。このような手口で用いられる盗撮カメラは、マッチ箱程度のサイズにまで小型化されており、目視のみによって発見するのは困難である。
【０００３】
そこで、このような問題を解決するために、特許文献１に記載されている盗撮検知装置が知られている。特許文献１には、盗撮カメラから送信される電波信号を検出して、この電波信号に含まれた映像を警備室のモニターに表示し、警備員が映像を確認して、実際に盗撮が行われているか否か、及び盗撮カメラの設置位置などを判別することが記載されている。
【特許文献１】特開２００２−１４２２３５号公報
【発明の開示】
【発明が解決しようとする課題】
【０００４】
上述した従来の盗撮検出器は、盗撮行為による映像か否かを実際に映像を見て確認することができ、また、盗撮カメラの設置位置までも確認できるという点で効果的である。
しかしながら、上述した従来の盗撮検知装置は、被盗撮者への配慮がなされておらず、被盗撮者のプライバシが確保されないという問題点があった。
【０００５】
すなわち、盗撮された映像は、非常にプライバシ性の高い映像が含まれている可能性が高い。このため、被盗撮者（盗撮被害者）にとっては、例え警備員であったとしても、盗撮された映像が他人に見られることは好ましいことではない。
上述した従来の盗撮検知装置は、盗撮行為を監視する警備員などが、実際に盗撮された映像を見て、種々の判別を行うものであり、被盗撮者のプライベートな映像が、警備員に閲覧されてしまうという問題を抱えている。このため、従来の盗撮検知装置は、被盗撮者となりうる利用者にとって、悪印象を与えてしまうおそれがある
【０００６】
そこで、本発明は、盗撮映像という特殊性を鑑み、被盗撮者のプライバシに配慮した盗撮検出装置の提供を目的とする。
【課題を解決するための手段】
【０００７】
上記目的を達成するために本発明による盗撮検出装置は、盗撮機から送信される映像信号を検出する盗撮検出装置であって、電波を受信する受信手段と、受信した電波を変換して映像信号を検出する検出部と、前記検出部が検出した映像信号の映像を不鮮明化処理する映像処理部と、前記映像処理部で前記不鮮明化処理された映像を出力する出力部と、備えることを特徴としている。
【０００８】
盗撮行為を監視する警備員などは、盗撮映像であるか否かを確認するだけでよく、映像を詳細に確認する必要はない。そこで、本発明では、不鮮明な映像を視認して得られる大まかな情報で盗撮された映像か否かを判断するようにして、被盗撮者のプライバシに配慮している。即ち本発明による盗撮検出装置は、映像信号を受信すると、映像を不鮮明にする処理を行い、この不鮮明化した映像を出力する。出力先としては、表示部や、警備員などが所持する携帯端末、遠方の監視センタなどである。
盗撮行為を監視する警備員などは、この不鮮明に出力された映像を確認して、盗撮行為による映像か否か、及び、盗撮カメラが設置されている概略位置などを確認する。
これにより、被盗撮者のプライバシに配慮しつつ盗撮行為の有無、及びカメラの概略設置位置を確認することができる。
【０００９】
また、本発明による盗撮検出装置において、好ましくは、前記映像処理部は、前記不鮮明化処理として前記検出部にて検出された映像信号による映像の解像度を低下させる処理をする。
【００１０】
この盗撮検出装置は、盗撮検出装置は、映像信号を受信すると、映像を低解像度の映像として出力する。これにより、盗撮された映像は、略モザイク状の映像として出力され、被盗撮者のプライバシを確保することができる。また、盗撮行為を監視する警備員などは、盗撮行為を監視する警備員などは、盗撮映像であるか否かを確認するだけでよく、映像を詳細に確認する必要はないために、盗撮検出装置から出力される低解像度の映像であっても、盗撮検出装置の周辺で盗撮行為があるか否かを判断するための情報として十分に活用できる。
【００１１】
また、本発明による盗撮検出装置において、好ましくは、前記映像処理部は、前記不鮮明化処理として前記検出部にて検出された映像信号による映像の所定領域をマスクする処理をする。
これにより、盗撮対象をマスクして出力でき、被盗撮者のプライバシを確保することができる。また、盗撮行為を監視する警備員などは、盗撮行為を監視する警備員などは、盗撮映像であるか否かを確認するだけでよく、映像を詳細に確認する必要はないために、マスクされた以外の領域を参照することで、盗撮検出装置の周辺で盗撮行為があるか否かを判断するための情報として十分に活用できる。
【００１２】
また、本発明による盗撮検出装置において、好ましくは、前記映像処理部は、前記不鮮明化処理として前記検出部にて検出された映像信号による映像を減色処理する。
これにより、盗撮された映像は、デフォルメされて写実的でなくなり被盗撮者のプライバシを確保することができる。また、盗撮行為を監視する警備員などは、盗撮行為を監視する警備員などは、盗撮映像であるか否かを確認するだけでよく、映像を詳細に確認する必要はないために、減色された映像であっても、盗撮検出装置の周辺で盗撮行為があるか否かを判断するための情報として十分に活用できる。
【００１３】
また、本発明による盗撮検出システムは、盗撮機から送信される映像信号を検出する盗撮検出システムであって、電波を受信する受信手段と、受信した電波を変換して映像信号を検出する検出部と、前記検出部が映像信号を検出すると警報判定する判定部と、前記判定部が前記警報判定すると前記映像信号の映像を遠隔の監視センタに送信する通報部とを有する盗撮検出装置と、前記盗撮検出装置からの映像を受信する通信部と、前記受信した映像を不鮮明化処理する映像処理部と、前記映像処理部で前記不鮮明化処理された映像を表示する表示部とを有する監視センタとから構成される。
【００１４】
これにより、高負荷な映像処理を監視センタで一元して、盗撮を監視する領域で盗撮検出する盗撮検出装置の負荷軽減、コスト削減を図ることができ、なおかつ、被盗撮者のプライバシに配慮しつつ盗撮行為の有無、及びカメラの概略設置位置を確認することができる。
【発明の効果】
【００１５】
本発明に係る盗撮検出装置、および盗撮検出システムによれば、盗撮カメラから送信された可能性のある映像を不鮮明にして表示することができ、万一盗撮された映像であったとしても被盗撮者のプライバシを確保することができる。
【００１６】
また、本発明に係る盗撮検出装置、および盗撮検出システムによれば、不鮮明な映像であっても、映像を視認して得られる大まかな情報をもとに盗撮された映像であるか否か、及び盗撮カメラが設置されている概略位置を判別することができる。
【発明を実施するための最良の形態】
【００１７】
以下、本発明の実施の形態について、図面を参照して具体的に説明する。
図１は、本発明の盗撮検出装置を用いた盗撮検出システムを示す構成図である。
盗撮検出システムは、盗撮監視領域４に設置される盗撮検出装置１と、遠隔の監視センタ２とを通信網３を介して接続して構成される。本実施形態では、盗撮監視領域４として金融機関のＣＤ／ＡＴＭコーナーを例に説明する。なお、盗撮監視領域４はこれに限られず、盗撮されるおそれのある状況に応じて、トイレや更衣室、また住居内などが盗撮監視領域となる。
【００１８】
ここで、盗撮行為に用いられる盗撮カメラ５は、ＣＣＤ素子で撮影した映像信号を所定周波数に変調し、電波信号として送信する。送信周波数は、ＵＨＦ域の周波数、特に９００ＭＨｚ〜２．５ＧＨｚの周波数を用いるものが広く知られている。盗撮者は、所持する受像機で盗撮カメラ５が送信している電波信号を受信し、受信した電波信号を復号して盗撮映像を見ているのである。
【００１９】
盗撮検出装置１は、受信する周波数を順次切り換えながら盗撮カメラ５からの映像信号を探索する。映像信号を受信すると、盗撮カメラ５の映像である可能性があると判定する。そして、受信した映像信号に対して所定の不鮮明化処理を施し、この不鮮明化した映像を含む通報信号を監視センタ２に送信する。
【００２０】
監視センタ２は、警備会社が運営するサーバシステムを備えた施設であり、盗撮検出装置１と通信する通信部２１と、各種情報を表示するディスプレイ２２とを有して、ディスプレイ２２を見ながら監視員が盗撮監視領域４を監視している。また、監視センタ２は、盗撮監視領域４となる施設の情報、盗撮監視領域４に設置された盗撮検出装置１の情報、盗撮監視領域４の管理者の情報など、すなわち、盗撮監視領域４となる施設の名称、住所、電話番号、監視領域管理者の氏名、管理者の住所、管理者の電話番号、盗撮検出装置１の管理番号、過去の対処履歴などを記憶管理するデータベースを具備している。
【００２１】
監視センタ２では、盗撮検出装置１から受信した通報信号に基づいて対処すべき盗撮監視領域４の情報、及び受信した映像がディスプレイ２２に表示される。そして、監視員は表示された盗撮監視領域４の情報と映像を見て、当該映像が盗撮された映像であるか否かを判別する。
監視員は、盗撮された映像と判断すれば、盗撮監視領域４の管理者に対する確認処理や、盗撮監視領域４への警備員の対処指示などの必要な措置をとる。他方、盗撮された映像でないと判断すれば、端末を操作して通信部２１を介し盗撮検出装置１に停止信号を送信して、映像の送信を停止させる。
【００２２】
ここで、監視センタ２において、盗撮検出装置１から受信する映像は不鮮明化された映像であるが、盗撮監視領域４の情報と見比べ、盗撮監視領域４に関係する映像（即ち盗撮された映像）か否かの確認を行う。具体的には、監視員は、盗撮監視領域４となる施設の情報である盗撮監視領域４の見取り図や設置状況を示す写真などを参照し、受信した不鮮明化された映像が盗撮監視領域４を撮影した映像とを見比べ、盗撮監視領域４に関係する映像か否かを判断する。なお、不鮮明化した映像については、詳しく後述する。
また、盗撮検出装置１が映像信号を受信した時刻における盗撮監視領域４でのTV放送の内容などと比較すれば、TV放送波を検出してしまった場合であっても誤判断することがない。
【００２３】
＜盗撮検出装置＞
次に、図１を用いて盗撮検出装置について説明する。図１に、盗撮検出装置の構成を示すブロック図を示している。
盗撮検出装置１は、電波を受信するアンテナ１１と、検出部１２と、判定部１３と、映像処理部１４と、通報部１５と、各部に電源を供給する電源部１６と、各部を制御する制御部１７から概略構成される。
制御部１７は、ＣＰＵ、メモリ等により実現され、メモリに記憶されている各種プログラムにしたがって盗撮検出装置１の各部を制御する。
【００２４】
検出部１２は、チューナ１２１と、ＩＦ検波部１２２とを含んでなり、アンテナ１１で受信した電波の入力を受け、受信した電波を変換して映像信号を検出する。制御部１７は、９００ＭＨｚ〜２．５ＧＨｚの周波数範囲を所定間隔（例えば、６ＭＨz間隔）にて順次指定してチューニング信号を出力することにより、チューナ１２１に電波信号をオートサーチさせる。チューナ１２１には、アンテナ１１で受信した電波が入力される。チューナ１２１は、制御部１７からのチューニング信号に従って指定の周波数の電波を選択し、中間周波数信号に変換してＩＦ検波部１２２に出力する。ＩＦ検波部１２２は、中間周波数信号の入力を受けると、この中間周波数信号を増幅し、検波して映像信号を検出する。
【００２５】
判定部１３は、ＩＦ検波部１２２から映像信号が出力されると制御部１７に警報信号を出力する。制御部は、警報信号が入力されると、次の周波数を指定するチューニング信号によるオートサーチを所定時間（例えば１０秒間）停止させ、検出部１２に現在指定している周波数の電波信号を継続的に受信させる。そして、制御部１７は、検出部１２から入力された映像信号を映像処理部１４に出力する。
【００２６】
映像処理部１４は、不鮮明処理部１４１と、圧縮部１４２とを含んでなり、制御部１７から入力される映像を不鮮明化する処理を施して圧縮し、制御部１７に出力するよう機能する。
不鮮明処理部１４１は、入力された映像信号を、デジタル映像に変換する。このとき、デジタル映像のサンプリング密度を粗くして低解像度の映像として出力する。出力される映像の解像度は、ＮＴＳＣの一般的な解像度である垂直方向３３０×水平方向３５０の約５分の１程度の解像度である垂直方向６６×水平方向７０となる。かかる不鮮明化の処理では、ＣＤ／ＡＴＭの盗撮の場合に最も問題となる暗証番号を解析できない程度の不鮮明な映像となるが、監視員が盗撮監視領域４か否かを判断できる程度の映像を得ることができる。
圧縮部１４２は、不鮮明処理部１４１から出力された映像データを所定のコーデックで圧縮して制御部１７に出力する。
【００２７】
なお、不鮮明処理部１４１にて実行される不鮮明化の処理は、上述の処理に限られるものではない。
例えば、不鮮明化の処理は、映像信号をデジタル映像に変換し、映像中の所定領域の画素を単一色にマスクする処理としてもよい。特に、盗撮対象は、映像中の中央領域に位置されていることが多いので、マスクする領域を映像の中央領域に設定すると効果的である。なお、監視員は、マスクされていない領域の映像によって、盗撮監視領域４に関する映像か否かの判断を行う。
【００２８】
また、不鮮明化の処理は、映像信号をデジタル映像に変換し、減色する処理としてもよい。特に、減色の度合いをモノクロ２値映像まで減色することが好ましい。モノクロ２値映像の場合は、被撮影物のシルエットが分かるので、盗撮監視領域４に関連する映像か否かの判断は可能であるが、被撮影者の詳細な映像ではないのでプライバシを守ることができる。
【００２９】
また、不鮮明化の処理は、映像信号をデジタル映像に変換し、濃淡エッジ映像に変換する処理としても良い。濃淡エッジ映像の場合は、建物の構造体部分（床、柱、壁の区別等）が明確になり、盗撮監視領域４に関係する映像か否かの判断が容易になり、被撮影者の詳細な映像ではないのでプライバシを守ることができる。
【００３０】
不鮮明化の処理は、検出部１２から出力され映像処理部１４に入力された映像信号を劣化させて不鮮明とする処理であれば上述した各処理に限られず、他の処理手法で実現されてもよい。また、上述した各処理、即ち、低解像度化の処理、所定領域のマスク処理、減色処理、濃淡エッジ映像化処理の何れか、又は全ての処理の組合せによる処理としてもよい。
【００３１】
通報部（出力部）１５は、通信網３を介して監視センタ２と通信を行う。制御部１７は、判定部１３から警報信号が入力されると、圧縮部１４２にて圧縮された映像データと、所定の通報データとを含む通報信号を通報部（出力部）１５より監視センタ２に送信する。
【００３２】
＜動作の説明＞
次に、上述した盗撮検出装置１の動作について説明する。
盗難検出装置１が盗難監視領域４に設置され、電源ＯＮされると、制御部１７は、受信周波数を指定したチューニング信号をチューナ１２１に出力する（ステップＳＴ１）。受信周波数は、９００ＭＨｚ〜２．５ＧＨｚの周波数範囲から指定される。
【００３３】
検出部１２は、制御部１７からのチューニング信号で指定された周波数を選択して受信電波を中間周波数信号に変換、増幅して、映像検波する（ステップＳＴ２）。ここで、検出部１２により映像信号が検出されなければ（ステップＳＴ３−Ｎｏ）、ステップＳＴ１に戻り、制御部１７は次の受信周波数を指定してチューニング信号を出力する。すなわち、制御部１７は、チューニング信号により９００ＭＨｚ〜２．５ＧＨｚの周波数範囲を順次指定することで、検出部１２にこれら周波数範囲をオートサーチさせて、盗撮カメラ５からの電波を探索する。
【００３４】
他方、検出部１２により映像信号が検出されると（ステップＳＴ３−Ｙｅｓ）、判定部１３が警報判定して制御部１７に警報信号を出力する（ステップＳＴ４）。制御部１７は、警報信号が入力されるとチューニング信号の出力を停止して、オートサーチを停止させ、検出部１２に現在指定している周波数を継続的に受信させる（ステップＳＴ５）。そして、制御部１７は、図示しない計時手段を作動させて計時を開始する（ステップＳＴ６）。
【００３５】
検出部１２にて検出され、制御部１７に入力された映像信号は映像処理部１４に出力される。映像処理部１４は、入力される映像信号をデジタル映像に変換し、映像を不鮮明化する処理を実行する（ステップＳＴ７）。不鮮明化処理としては、上述したように、低解像度の映像として出力する処理が実行される。なお、不鮮明化処理として、上述したように、映像中の中央部分をマスクする処理や、モノクロ２値の映像として出力する処理などの処理が採用されて実行されてもよい。
【００３６】
不鮮明化された映像は、映像処理部１４で圧縮処理される（ステップＳＴ８）。そして、得られた映像データは、通報部１５により通報信号として順次監視センタ２に送信される（ステップＳＴ９）。
これにより、盗撮監視領域４で検出された映像信号は、不鮮明な映像として監視センタ２に送信される。監視センタ２では、監視員がこの不鮮明な映像を参照して、盗撮映像であるか否か、即ち盗撮監視領域４における盗撮行為の有無、及び、盗撮カメラ５が盗撮監視領域４のどの辺りに設置されているのかを判定する。この結果、監視センタ２に送信される映像が盗撮映像であったとしても、被盗撮者のプライベートな映像は、その詳細が監視員に見られることがなく、被盗撮者のプライバシを確保することができる。
【００３７】
ここで、計時手段による計時が所定時間を経過していれば（ステップＳＴ１０−Ｙｅｓ）、通報部１５による映像データの送信を停止して（ステップＳＴ１２）、ステップＳＴ１に処理を戻し、検出部１２によるオートサーチを再開させる。計時手段により計時する所定時間は、すなわち、オートサーチを停止して映像信号を継続的に受信し、監視センタ２に通報する時間であって、例えば１０秒に設定される。
【００３８】
他方、ステップＳＴ１０で計時手段による計時が所定時間に達していなければ（ステップＳＴ１０−Ｎｏ）、監視センタ２から停止信号を受信したか否かを判定する（ステップＳＴ１１）。監視センタ２から停止信号を受信していなければ（ステップＳＴ１１―Ｎｏ）、引き続き、検出部１２にて受信、出力される映像信号を不鮮明化して映像データを監視センタ２に送出する。
【００３９】
他方、監視センタ２から停止信号を受信すると（ステップＳＴ１１−Ｙｅｓ）、通報部１５による映像データの送信を停止して（ステップＳＴ１２）、ステップＳＴ１に処理を戻し、検出部１２によるオートサーチを再開させる。
【００４０】
以上説明したように、本実施形態の盗撮検出システムによれば、盗撮カメラ５から送信された可能性のある映像を不鮮明にして出力することができ、万一盗撮された映像であったとしても被盗撮者のプライバシを確保することができる。また、不鮮明な映像であっても、映像を視認すれば、盗撮された映像であるか否か程度は判別することができ、また、盗撮カメラ５が設置されているおおよその位置を判別するため参考とすることができ、盗撮行為を適切に監視、検出することが可能となる。
【００４１】
なお、上述した実施形態では、監視センタで映像を表示、確認する構成となっていたが、盗撮検出装置に液晶モニタなどの表示部を備え、映像処理部にて不鮮明化処理された映像を、表示部に表示出力する構成としてもよい。また、不鮮明化処理された映像を、盗撮検出装置から警備員が所持する携帯端末に出力する構成としてもよい。これにより、盗撮監視領域に常駐する警備員が表示部や端末に表示される映像をみて、監視センタからの対処指示を待つことなく、現地にて盗撮行為に対処することが可能となる。
【００４２】
また、上述した実施形態では、盗撮検出装置で映像信号を不鮮明化して監視センタに送信していた。このため、映像処理部の負荷が大きく高速なＣＰＵや映像処理回路が必要となる。そこで、不鮮明処理部を備えた映像処理部を監視センタに備えて、不鮮明化の処理を監視センタで行う構成としてもよい。
この場合、盗難検出装置の映像処理部は、検出部から出力され映像処理部に入力された映像信号を所定のコーデックで圧縮して制御部に出力する。制御部は入力された映像データと、所定の通報データとを含む通報信号を通報部より監視センタに送信する。監視センタは、映像処理部にて、受信した通報データに含まれる映像データを伸張し、上述の不鮮明化処理を施して、不鮮明化された映像をディスプレイに表示する。
このように構成することで、盗撮検出装置に不鮮明化処理部を備える必要がなくなり、上述した本実施形態の効果に加えて、盗撮検出装置の負荷を軽減し、ＣＰＵや映像処理回路として安価なものを採用できるという効果がある。
【図面の簡単な説明】
【００４３】
【図１】本発明の盗撮検出システムの構成を示す図
【図２】本発明の盗撮検出装置の動作を示す図
【符号の説明】
【００４４】
１      盗撮検出装置
２      監視センタ
３      通信網
４      盗撮監視領域
５      盗撮カメラ
１１    アンテナ
１２    検出部
１３    判定部
１４    映像処理部
１５    通報部
１６    電源部
１７    制御部
２１    通信部
２２    ディスプレイ
【図１】
2007324930.tif 000003
【図２】
2007324930.tif 000004